(57)【特許請求の範囲】
【請求項１】
入力される文字情報を符号化する第１の符号化手段と、
上記文字情報のジャンル、及び当該ジャンルの細目を示すキーワードを含む付加情報を生成する付加情報発生手段と、
入力されるテレビジョン信号を符号化する第２の符号化手段と、
少なくとも、上記第１の符号化手段により符号化された第１の符号化情報、上記付加情報発生手段により生成された上記付加情報、及び上記第２の符号化手段により符号化された第２の符号化情報を多重化して送信する送信手段と、
を有する送信装置と、
少なくとも、文字情報が符号化された上記第１の符号化情報、テレビジョン信号が符号化された上記第２の符号化情報、及び上記付加情報とが多重化された特定の放送信号を選局する選局手段と、
上記選局手段により選局された上記特定の放送信号を上記第１の符号化情報、上記第２の符号化情報、及び上記付加情報に分離する信号分離手段と、
上記第１の符号化情報を復号し上記文字情報を出力する第１の復号手段と、
上記第２の符号化情報を復号し上記テレビジョン信号を出力する第２の復号手段と、
上記第１の復号手段により復号された上記文字情報、及び当該文字情報に関連づけて上記付加情報に含まれる上記文字情報のジャンル及び当該ジャンルの細目を示すキーワードを記録媒体に記録する記録／再生手段と、
少なくともキーワードを入力する入力手段と、
上記入力手段により入力されたキーワードに基づいて上記記録媒体から対応する文字情報を検索し、当該検索された文字情報を上記記録／再生手段が再生するように制御する制御手段と、
上記入力手段により入力されたキーワードを文字データに変換する変換手段と、
上記記録／再生手段から再生された上記文字情報に上記変換手段により出力される上記文字データを合成する第１の合成手段と、
上記テレビジョン信号に上記第１の合成手段により上記文字データが合成された上記文字情報がスーパーインポーズされるように、当該テレビジョン信号と当該文字情報を合成してモニタに出力する第２の合成手段と、
を有する受信装置と、
を備えたことを特徴とする送受信システム。
【請求項２】
上記送信手段は、
上記第１の符号化情報をパケット化し、
上記パケット化されたパケットデータ内のパケットヘッダに上記付加情報を挿入し、
上記第２の符号化情報をパケット化し、
伝送フレーム単位で多重してビットストリーム化することを特徴とする請求項１に記載の送受信システム。
【請求項３】
上記付加情報発生手段は、上記付加情報として上記文字情報を拡大縮小するための制御コードを生成することを特徴とする請求項１に記載の送受信システム。
【請求項４】
上記付加情報発生手段は、上記付加情報として上記文字情報の表示位置を指定する表示位置指定コードを生成することを特徴とする請求項１に記載の送受信システム。
【請求項５】
上記入力手段は、ジャンル及びキーワードを入力することを特徴とする請求項１に記載の送受信システム。
【請求項６】
上記記録／再生手段は、上記第１の復号手段により復号された上記文字情報をプリンタに出力する手段を有したことを特徴とする請求項１に記載の送受信システム。
【請求項７】
少なくとも、文字情報が符号化された第１の符号化情報、テレビジョン信号が符号化された第２の符号化情報、及び付加情報とが多重化された特定の放送信号を選局する選局手段と、
上記選局手段により選局された上記特定の放送信号を上記第１の符号化情報、上記第２の符号化情報、及び上記付加情報に分離する信号分離手段と、
上記第１の符号化情報を復号し上記文字情報を出力する第１の復号手段と、
上記第２の符号化情報を復号し上記テレビジョン信号を出力する第２の復号手段と、
上記第１の復号手段により復号された上記文字情報、及び当該文字情報に関連づけて上記付加情報に含まれる上記文字情報のジャンル及び当該ジャンルの細目を示すキーワードを記録媒体に記録する記録／再生手段と、
少なくともキーワードを入力する入力手段と、
上記入力手段により入力されたキーワードに基づいて上記記録媒体から対応する文字情報を検索し、当該検索された文字情報を上記記録／再生手段が再生するように制御する制御手段と、
上記入力手段により入力されたキーワードを文字データに変換する変換手段と、
上記記録／再生手段から再生された上記文字情報に上記変換手段により出力される上記文字データを合成する第１の合成手段と、
上記テレビジョン信号に上記第１の合成手段により上記文字データが合成された上記文字情報がスーパーインポーズされるように、当該テレビジョン信号と当該文字情報を合成してモニタに出力する第２の合成手段と、
を備えたことを特徴とする受信装置。
【請求項８】
上記入力手段は、ジャンル及びキーワードを入力することを特徴とする請求項７に記載の受信装置。
【請求項９】
上記記録／再生手段は、上記復号手段により復号された上記文字情報をプリンタに出力する手段を有したことを特徴とする請求項７に記載の受信装置。
【発明の詳細な説明】
【０００１】
【発明の属する技術分野】
この発明は、放送システムなどに適用して好適な送受信システムおよび受信装置に関する。詳しくは、主放送信号の他に文字多重信号を送信するに当たり、文字放送に対するジャンル別の細目を示すキーワードをさらに付加情報として送信することで、受信側では多重文字情報を階層化して蓄えられるようにすると共に、キーワード検索によって対応する多重文字情報をモニタできるようにしたものである。
【０００２】
【従来の技術】
ディジタル技術の発展に伴い、放送界でも放送信号を含めた各種情報をディジタル化したインタラクティブ形式の統合ディジタル放送システム（ＩＳＤＢ（Integrated Services Digital Broadcasting）システムという）が研究・開発されている。
【０００３】
具体的には、このＩＳＤＢシステムとは現行の放送信号（標準テレビジョン信号、ハイビジョン信号）を始めとして、ソフトウエアやファクシミリなどのデータ、さらには音声、文字、図形、画像などのマルチメディア情報をそれぞれディジタル化（符号化）し、それらを統合多重化した上で、伝送形態に合致した変調処理を施して送信するようにした放送システムのことである。
【０００４】
放送信号を含めた各種情報を統合多重化する場合、これらの情報の他に受信側での制御情報として使用する付加情報も同時に統合多重化されて送信することができる。統合化されたＩＳＤＢ用放送信号（ディジタル信号）は地上波、衛星波、光ケーブルなどを利用して送信される。
【０００５】
受信端末側では、統合化されたＩＳＤＢ用放送信号を受信して目的の信号を弁別することによってそれをモニタに表示させて通常のテレビ放送として楽しむことができることは勿論、記録手段を用いて記録（保存）したり、他の端末に転送したりすることができる。さらに受信した付加情報を利用すれば、モニタ制御、記録制御さらにはモニタされた画像に対する加工制御など、ユーザの好みに応じて受信情報を利用できることになる。つまり、対話形式（インタラクティブ）の放送システムを構築できる。
【０００６】
【発明が解決しようとする課題】
したがってこのＩＳＤＢシステムを利用すれば、送信される付加情報が多種、多様になる程、ユーザに対するサービス内容が向上し、より双方向的な放送システムを構築できる。
【０００７】
さて、現行の放送システムの中でも現行テレビジョン信号の隙間（ブランキング期間）を利用して文字多重信号が挿入され、受信側ではこの文字多重信号を受信し、ジャンルを指定することで文字放送を画面上に映し出すことができるようなサービスが行なわれている。ＩＳＤＢ放送システムでも現行の文字放送システムを導入することが可能である。
【０００８】
文字放送では、ジャンル別に文字放送を放送している。その項目は周知のようにニュース、スポーツ、天気予報、交通情報、レジャー情報などであり、非常に大間かな区分けしかなされていない。実際ユーザがこの文字放送を選択する場合でも、これらジャンル別の分け方よりももっと細かな細目を指定したいことがある。
【０００９】
例えば、同じニュースでも国内ニュースなのか、海外ニュースなのか、スポーツでも野球なのか、サッカーなのか、相撲なのか、同じ野球という中ジャンルでも、国内球団の試合結果を見たいのか、海外例えばアメリカリーグを見たいのか、さらにアメリカリーグでも特定球団の特定の投手（例えば野茂投手）の結果を見たいのか（小ジャンル）、など様々である。ユーザにとってこのような細目の分類（キーワードという）を指定できれば、不要な情報をカットして自分の得たい情報だけを収集できるので頗る便利である。これもまた時代にマッチしたサービスと言える。
このように階層化されたハイパーな文字放送は、制御情報などを付加情報として伝送できるＩＳＤＢ放送システムでは好適なサービス形態と言える。
【００１０】
そこで、この発明はこのような課題を達成できるようにしたものであって、階層化された文字放送を実現し、ユーザは階層化された文字情報を自由に選択して表示やハードコピーできるようにしたものである。
【００１１】
【課題を解決するための手段】
上述の課題を解決するため、請求項１に記載の送受信システムは、入力される文字情報を符号化する第１の符号化手段と、上記文字情報のジャンル、及び当該ジャンルの細目を示すキーワードを含む付加情報を生成する付加情報発生手段と、入力されるテレビジョン信号を符号化する第２の符号化手段と、少なくとも、上記第１の符号化手段により符号化された第１の符号化情報、上記付加情報発生手段により生成された上記付加情報、及び上記第２の符号化手段により符号化された第２の符号化情報を多重化して送信する送信手段と、を有する送信装置と、少なくとも、文字情報が符号化された上記第１の符号化情報、テレビジョン信号が符号化された上記第２の符号化情報、及び上記付加情報とが多重化された特定の放送信号を選局する選局手段と、上記選局手段により選局された上記特定の放送信号を上記第１の符号化情報、上記第２の符号化情報、及び上記付加情報に分離する信号分離手段と、上記第１の符号化情報を復号し上記文字情報を出力する第１の復号手段と、上記第２の符号化情報を復号し上記テレビジョン信号を出力する第２の復号手段と、上記第１の復号手段により復号された上記文字情報、及び当該文字情報に関連づけて上記付加情報に含まれる上記文字情報のジャンル及び当該ジャンルの細目を示すキーワードを記録媒体に記録する記録／再生手段と、少なくともキーワードを入力する入力手段と、上記入力手段により入力されたキーワードに基づいて上記記録媒体から対応する文字情報を検索し、当該検索された文字情報を上記記録／再生手段が再生するように制御する制御手段と、上記入力手段により入力されたキーワードを文字データに変換する変換手段と、上記記録／再生手段から再生された上記文字情報に上記変換手段により出力される上記文字データを合成する第１の合成手段と、上記テレビジョン信号に上記第１の合成手段により上記文字データが合成された上記文字情報がスーパーインポーズされるように、当該テレビジョン信号と当該文字情報を合成してモニタに出力する第２の合成手段と、を有する受信装置と、を備えたことを特徴とするものである。
【００１２】
上述の課題を解決するため、請求項７に記載の受信装置は、少なくとも、文字情報が符号化された第１の符号化情報、テレビジョン信号が符号化された第２の符号化情報、及び付加情報とが多重化された特定の放送信号を選局する選局手段と、上記選局手段により選局された上記特定の放送信号を上記第１の符号化情報、上記第２の符号化情報、及び上記付加情報に分離する信号分離手段と、上記第１の符号化情報を復号し上記文字情報を出力する第１の復号手段と、上記第２の符号化情報を復号し上記テレビジョン信号を出力する第２の復号手段と、上記第１の復号手段により復号された上記文字情報、及び当該文字情報に関連づけて上記付加情報に含まれる上記文字情報のジャンル及び当該ジャンルの細目を示すキーワードを記録媒体に記録する記録／再生手段と、少なくともキーワードを入力する入力手段と、上記入力手段により入力されたキーワードに基づいて上記記録媒体から対応する文字情報を検索し、当該検索された文字情報を上記記録／再生手段が再生するように制御する制御手段と、上記入力手段により入力されたキーワードを文字データに変換する変換手段と、上記記録／再生手段から再生された上記文字情報に上記変換手段により出力される上記文字データを合成する第１の合成手段と、上記テレビジョン信号に上記第１の合成手段により上記文字データが合成された上記文字情報がスーパーインポーズされるように、当該テレビジョン信号と当該文字情報を合成してモニタに出力する第２の合成手段と、を備えたことを特徴とするものである。
【００１４】
特定ジャンルの特定の細目、つまりキーワードを付加情報として送信することにより、受信側では特定のジャンルを選択し、さらにキーワードを指定することで、そのキーワードに合致した文字情報のみを選択的に入手できる。選択された特定の文字情報はモニタで確認できるほか、ハードコピーも可能である。メモリに保存することもできる。メモリに保存すれば文字情報のデータベースを構築できる。データベース用のメモリ手段としては記録再生部を流用できるほか、専用のメモリ手段を用意してもよい。
【００１５】
【発明の実施の形態】
続いて、この発明に係る送受信システムおよび受信装置の実施の一形態を、図面を参照して詳細に説明する。
【００１６】
図１はこの発明に係るＩＳＤＢ用送信装置１０の一形態を示す要部の系統図であって、本例では説明の便宜上統合されて送信されるメイン情報としては、標準テレビジョン信号、ハイビジョン信号そして文字多重信号であるものとする。文字多重信号は標準テレビジョン信号のブランキング期間に挿入されるものとする。そして、そのそれぞれには制御情報などの付加情報が付加されて多重化される。付加情報は多種多様な情報が考えられる。標準テレビジョン信号やハイビジョン信号に関してはタイムコードなどが考えられる。
【００１７】
図１を参照すると、端子１２ａには標準テレビジョン信号のうち映像信号ＳＶＮが、端子１２ｂにはそれに付随した音声信号ＳＡＮが供給され、符号化部１４で圧縮などを含めた適切な符号化処理が施される。この符号化処理に同期して付加情報発生手段１６が動作して、制御情報などの付加情報が生成される。本例では付加情報としてタイムコードを例示するので、タイムコード発生部１６として構成される。符号化された標準テレビジョン信号およびタイムコードＴＣは多重化部２０に供給されて他の情報と共に多重化処理がなされる。
【００１８】
端子２２ａにはハイビジョン信号のうち映像信号ＳＶＨが、端子２２ｂにはそれに付随した音声信号ＳＡＨが供給され、符号化部２４で圧縮などを含めた符号化処理が施される。この符号化処理に同期して付加情報発生手段としてのこの例ではタイムコード発生部２６が起動されて所定のタイムコードが生成される。
【００１９】
また、端子２８ａには文字多重信号ＳＤが供給され、これが符号化部３０で符号化される。同時に付加情報発生手段３２が起動されて送信すべき文字情報のジャンルとそのジャンルの中のキーワードが付加情報として生成される。付加情報にはさらに文字情報を拡大縮小するための制御コード、表示位置指定コードなどが考えられる。
【００２０】
それぞれから得られた符号化情報や付加情報はそれぞれ多重化部２０において多重される。多重化部２０では、例えば符号化情報のそれぞれに対してパケット化し、それに誤り訂正のための符号化を施したもの同士を伝送フレーム単位で多重してビットストリーム化するような処理が行なわれる。上述した付加情報はパケット化するときそのヘッダ（パケットヘッダ）に挿入することができる。
【００２１】
多重化したデータは送信部３４で送信手段（例えば放送衛星）に適した送信形態となされたＩＳＤＢ用放送信号に変調されたのち、この例ではアップコンバータ３６を経て送信アンテナ（パラボラアンテナ）３８で放送衛星に向けて送信される。
【００２２】
図２は上述したようなＩＳＤＢ用放送信号を受信するこの発明に係る受信装置４０の一例を示す。
【００２３】
受信アンテナ（パラボラアンテナ）４２で受信した衛星波はダウンコンバータ４４によって１ＧＨｚ帯にダウンコンバートされ、その後ＩＳＤＢ用チューナ４６に供給されて選局処理が行なわれる。そのため端子４８よりの選局信号ＳＣによって文字放送を含めた特定チャネルのＩＳＤＢ用放送信号が選局される。
【００２４】
選局されたＩＳＤＢ用放送信号は信号分離手段５０に供給されて、本来のメイン情報と付加情報に分離される。例えば標準テレビジョン信号のうち特定のチャネルが選局されたときには、標準テレビジョン信号とこの特定チャネルに付随する付加情報（タイムコードなど）とに分離される。標準テレビジョン信号中に挿入された文字情報も同時に分離される。分離された標準テレビジョン信号は復号部５２において復号され、映像信号ＳＶと音声信号ＳＡとがそれぞれ復号され、これらはモニタ（ＣＲＴ，ＬＣＤなど）５３に供給されて映像が映し出される。
【００２５】
信号分離手段５０で分離された情報のうち文字情報は文字放送復号部５４で復号され、記録再生部５６で記録される。記録再生部５６としてはＶＴＲ，データレコーダ、光磁気ディスク記録再生装置、半導体メモリ手段（ＲＡＭなど）などを使用することができる。記録再生部５６の記録容量が一杯になったときは古い記録情報に最新の文字情報が重ね書きされる。
【００２６】
文字情報の記録と同時に文字情報に関する付加情報（ジャンルとキーワード）がさらにキーワード復号部５８に供給され、ジャンルとキーワードがそれぞれ復号され、その後記録再生部５６で記録される。ジャンルとキーワードは文字情報と関連付けて記録することができる。検索を迅速かつ容易に行なうためには、ジャンルとキーワードとを階層化して記録することが好ましいからである。
【００２７】
受信装置４０のパネル操作面に設けられたキー操作部５９を操作して文字放送が選択されたときには、ここでジャンルとキーワードの双方若しくはキーワードのみが指定される。この指定データは制御部６０に供給されて例えば記録再生部５６の検索コード（記録されたジャンルとキーワードに対応するコード）に変換される。検索処理の結果、同一のジャンルとキーワードが存在したときには記録再生部５６から、対応する文字情報が再生されて外部に出力される。
【００２８】
例えば、スポーツというジャンルの中で、「野茂投手」というキーワードを指定した場合、「野茂投手」というキーワードで文字情報が記録されているときは、その文字情報が検索・再生される。この文字情報は加算器７０で映像信号ＳＶに合成されてモニタ５３に供給される。その結果、映像信号ＳＶにスーパーインポーズする形で、あるいは単独で検索された文字情報が画面上に表示される。例えばアメリカのオールスターに日本人選手として初めて選ばれ、しかも先発投手となり、２回を好投して、絶賛を博したと言った内容が表示される。
【００２９】
ユーザがどのジャンルのどのキーワードを指定したかを画面上に文字情報と一緒に同時に表示することもできる。そのためキーワードやジャンルをそれぞれ文字データに変換するための変換手段６４が設けられ、変換された文字信号が加算器６２で文字情報信号に加算されてモニタ５３に供給される。こうすることによって、ユーザの指定内容も同時に画面上で把握できる。
【００３０】
選択された文字情報はプリンタ６６に与えることによって文字情報をハードコピーすることもできる。また、選択された文字情報のみならず、記録再生部５６で記録した文字情報をそのジャンルとキーワードを含めて専用メモリ手段６８に蓄えるようにすれば文字情報のデータベース化を図ることができる。専用のメモリ手段６８を使用することで記録再生部５６の容量を少なくできる。
【００３１】
記録再生部５６を介すことなく直接復号された文字情報などをこのメモリ手段６８に蓄えることもできるし、全ての文字情報ではなく、ユーザが指定した文字情報のみを蓄えるようにすることもできる。ユーザが指定するときだけメモリ手段６８を動作させるにはキー操作部５９からその制御動作を指定すればよい。
【００３２】
メモリ手段６８としては、上述したＶＴＲ，データレコーダ、光磁気ディスク記録再生装置、半導体メモリなどを使用することができる。
【００３３】
この発明は、現行のアナログテレビジョン信号に対しても適用できる。水平若しくは垂直ブランキング期間に挿入される文字多重信号の他に、キーワードを示すコードなどを同時に挿入すればよいからである。
【００３４】
【発明の効果】
以上のように、この発明に係る送受信システムおよび受信装置では、放送信号に文字多重信号を含めるとき、この文字情報内容に対して階層化するキーワードを付加情報として送信し、受信側ではこのキーワードでも検索できるように構成するようにしたものである。
【００３５】
これによれば、ジャンル別に送信された文字情報をさらに細分化して検索できるので、ユーザ自身で文字情報を取捨選択できるため、真に必要な文字情報のみを迅速かつ確実に入手できる特徴を有する。また、ユーザがどのジャンルのどのキーワードを指定したかを画面上に文字情報と一緒に表示できるようになる。しかも、ユーザの指定内容も同時に画面上で把握できるようになる。また更にこのようにキーワードを用いて文字情報を検索できるので、文字情報の階層化は勿論のことデータベース化も可能になるなどの種々の特徴を有する。したがってこの発明はディジタル放送用のＩＳＤＢシステムに適用して極めて好適である。
【図面の簡単な説明】
【図１】この発明に係るＩＳＤＢ用送信装置の実施の一形態を示す要部の系統図である。
【図２】この発明に係るＩＳＤＢ用受信装置の実施の一形態を示す要部の系統図である。
【符号の説明】
１０  ＩＳＤＢ用送信装置
１４，２４，３０  符号化部
１６，２６  タイムコード発生手段
２０  多重化部
３２  付加情報発生手段
４６  ＩＳＤＢ用チューナ
５２  復号部
５３  モニタ
５４  文字放送復号部
５６  記録再生部
５８  キーワード復号部
【図１】
0004174080.tif 000002
【図２】
0004174080.tif 000003